(57)【要約】      （修正有）【課題】水気を防ぐ必要のある部位を、そのままの状態で水気から保護すること。実際の現場において、使用が一人でも可能なように、簡便な作業によって着脱ができること。取り外しの際に痛みを感じないこと。および、清潔を保つため、一回の使用で廃棄されることを前提に作成されており既存の発明に比べ低コストでの作成が可能なことである防水シートの提供。【解決手段】保護部の上に接着面のない防水部を巻きつけ、その周辺を接着面のある接着部で体表面、およびシート裏側に固定・防水することにより、シート間からの水の侵入を防ぐものである。接着部に変色剤、及び、鎮痛剤などを混ぜることによりさらにこれらの効果・利便性を上げるものである。【選択図】図１
2012050591.tif 000002
【特許請求の範囲】
【請求項１】
防水性素材によるシートの少なくとも１面の縁をたどるように接着部が設けられ
た防水シート。
【請求項２】
前記シートの縁に設けられていた接着部の一部が非接着部となっていることを特
徴とした請求項１に記載の防水シート
【請求項３】
腕や脚などの要防水部に巻き付けて使用する防水シートであって、前述のシート
には、一方の体表面とシートを固定する前記接着部の一部である第１の接着部と、
他方の体表面とシートを固定する前記接着部の一部である第２の接着部と、前記第
１の接着部の一端と前記第２の一端とに連続して設けられた前記シート面に接着す
ることを特徴とした第３の接着部と、前記第１の接着部の他端と前記第２の接着部
の他端とに連続して設けられた非接着部があることを特徴とした請求項２に記載の
防水シート。
【請求項４】
シートの縁に設けられた接着部の複数個所が非接着部となっている請求項２、及
び請求項３に記載の防水シート。
【請求項５】
接着部において、接着変色剤が含まれていることを特徴とする請求項１から請求      項４までのいずれか一項に記載の防水シート。
【請求項６】
接着部において、鎮痛剤が含まれていることを特徴とする請求項１から請求項５      までのいずれか一項に記載の防水シート。
【請求項７】
複数のシートが積層体となった請求項１から請求項６までのいずれか一項に記載      の防水シート。
【請求項８】
請求項１から請求項６までに記載の防水シートにおいて、防水シートの非接着部
と他の防水シートの第三の接着部とを切断可能に連接させることで、複数の防水シ
ートをロール状の積層体としたことを特徴とする防水ロール。
【発明の詳細な説明】
【技術分野】
【０００１】
本発明は、傷口、静脈注射をされた部位、包帯や医療用ネットをされた部位、        または、精密機械などがあるがゆえに、水気を防ぐ必要のある部位を、そのまの        状態で水気から保護するシートに関するものである。
【背景技術】
【０００２】
たとえば、点滴をする際に使用される留置針について、長期入院などの場合、        期間中の入浴やシャワーが必要となるが、留置針のある状態でそのまま入浴する
のは細菌や汚れなどによる患部の汚染の恐れがあった。それは、身体を洗浄した        水により、留置針を皮膚に刺した部分から、雑菌が体内に侵入する恐れがあるか
らである。このような問題に対応した発明として、たとえば特開２００５−            ３４２４３２号のものがある。同号の発明は、留置針を接着シートなどで固定
し、その上でそれとは別のシートを用いて、また別個投薬口のパイプを保護して
いる。確かに、このような方法を用いることで防水効果を得ることはできるだろ
う。しかし、同号の発明を現実に用いる際には、数段階に及ぶ作業に加え、他者
からの補助などが必須となるため、利便性が十分とはいえなかった。
【０００３】
このような問題に対しては、他にもいくつかの発明がなされている。たとえば
米国特許５８２３９７７号では、防水性を持つ素材を腕に巻き、腕と密着してい        る両端をゴム状の紐で腕を緊縛し、残りの両辺を接着剤で固定することで、防水
性を保つ手段を設けている。しかし、このような方法によって得られる防水性は
きわめて限定的であり、水やそれによって運ばれる体表面の汚れ、雑菌等の侵入
を防ぐことは保障されない。
【０００４】
さらに、実開平６-１１７１９号も、同様の問題意識を持って発想された発明
である。この発明は、基本的に絆創膏のような形状をしている。患部に防水性を
持つあて布、つまり、パッチを覆いかぶせ、その周辺に接着部を設けることで要
防水部への水の侵入を防ぎ防水性を保ったものである。同発明には万一、要防水
部への水の浸入がなされたときにその水を吸収し、その侵入を発色によって警告
するような工夫がなされている。しかし、このような発明では、たとえば、腕に
バンド状の医療用ネットがはめられている場合には接着部がネットと接触してし
まい利便性にかけるうえ、その平面的つくりから、ある程度立体的な計測機器な
どを保護することはできない。さらに、その吸水性・発色性を実現するためのコ
ストを必要としている。
【０００５】
以上のような理由から、医療の現場において、これらの発明品が用いられてい
ることは極めてまれである。実際に、これらの現場では入浴などに際しては、ほ        かの手段を講じている。ひとつ例を挙げよう。腕に留置針がある場合、通常、入
院中には常時その留置針を覆うように医療用ネットが腕を取り巻くような形で装
着されていることが多い。そのような中、入浴の際には看護師が患者の腕に医療        用ネットをぬらさぬよう、全体を覆うようにラップ状のものを腕に何重にも巻き        つけ、その端を別の粘着テープなどで固定・密閉し、防水する。または、筒状に        なるように加工したレジ袋などを何重かに重ね、それに腕を通し、その両端を粘        着テープで固定・密閉し、防水するなどの手法がとられている。しかし、これら        のやり方は手間や時間がかかる上に、素材の材質、作業の状況や処置をする人の        技量などにより、保護部への水漏れが起こることも珍しくない。特に、粘着テー        プが皮膚に密着したことを確認できないまま入浴を行う場合などでは粘着テープ        と体表の隙間から水が内部へと入りこむ危険性が高い。入浴時の水の侵入の原因        の多くは、このような体表と粘着テープの密着が不十分なことから起こってい          る。また、現実的に、入院中の患者が一人でこれら一連の作業をすることは難し        く、補助者の協力が必要となることから入浴時に不自由を感じることも多々あ          る。さらに、テープの接着剤が皮膚からはがされる際に痛みが生じることも多          く、そのことを不快に感じる使用者も多い。このような接着剤を取り外す際に生        じる痛みの問題に関しては、防水の手段として体表面と不織布などを接着剤で密        着させている実開平６−１１７１９号に関して同様の問題がある。以上、医療用        ネットをかぶせられた留置針を保護する場合について説明したが、これらのこと        はそれ以外のケース、たとえば、傷口、留置針がなくとも包帯や医療用ネットを        つけられた部位、または精密機械などがある場合などでも同じである。このよう        な状況により、要防水部への対処の問題には、いまだ解決する余地がある。
【先行技術文献】
【特許文献】
【０００６】
【特許文献１】特開２００５−３４２４３２号
【特許文献２】米国特許５８２３９７７号
【特許文献３】実開平６−１１７１９号
【発明の概要】
【発明が解決しようとする課題】
【０００７】
本発明はこのような点に着目されてなされたもので、その課題は以下の４点で        ある。傷口、静脈注射をされた部位、包帯や医療用ネットをされた部位、また          は、精密機械などがあるがゆえに、水気を防ぐ必要のある部位を、そのままの状        態で水気から保護すること。実際の現場において、これらの作業が一人でも可能        なように、簡便な作業によって着脱ができること。取り外しの際に痛みを感じな        いこと。および、また、清潔を保つため、一回の使用で廃棄されることを前提に        作成されており既存の発明に比べ低コストでの作成が可能なことである。
【課題を解決するための手段】
【０００８】
前記の課題を解決するため、本発明は、防水性素材によるシートの少なくとも        一面の縁をたどるように接着部が設けられている。この防水シートを要防水部に        巻きつけ、接着部を体表面と密着させることにより、水の浸入を防ぎ、要防水部        を保護する。また、医療用ネットをつけられた腕などを保護する際にはシートの        縁に設けられた接着部の一部が非接着部となっていることを特徴とした防水シー        トを用いることで、医療用ネットとシートの接着部が貼り付くことなく、要防水        部を保護することができ、快適である。それは、保護部の上に接着部のないシー        トを巻きつけ、その周辺を接着面のある接着部で体表面に固定。その後、接着部        の設けられている一辺をシートの体表面と接していない側の一面に固定すること        により、シートと体表面の間、およびシート間からの水の侵入を防ぐものであ          る。この際、シートの接着部の外側にも、一部、非接着部を設けることにより、        使用後、シートを体表面から剥離する際に便利である。これに加えて、接着部に        おいて、接着変色剤を含んでいる本発明を用いた場合には、その接着部が体表面        と密着していることを視認することができるため、シートの接着忘れを防ぎ、防        水部へ水の浸入を防ぐ。さらに、接着部において、経皮吸収型即効性鎮痛剤を含        んでいる本発明を用いた場合には、使用後、本発明を取り除く際にも、痛みが少        なく、快適である。これらの作業は実に単純であり、極端な例を除き、誰にでも        簡単に行うことが可能である。また、本発明は衛生面の観点から、一回の使用で        廃棄をされることを大前提としている。
【発明の効果】
【０００９】
本発明が従来の発明に対して有利な点に関しては、主に以下の点があげられ          る。それは、本発明は現場で行われている作業の手間と時間を省くことを前提に        作られており、実用的であること。
【００１０】
極端な例を除き一人でも着脱が可能であることを前提としてに作られているた
め、着脱作業が非常に簡単であること。
【００１１】
防水時において、接着変色剤の効果により、接着部が体表面と密着する際に変        色し、シートの密着・固定を知らせること。
【００１２】
本発明を取り除く際に、経皮吸収型即効性鎮痛剤の効果により、痛みを感じに        くいこと。
【００１３】
前記の参考特許文献等にも共通しているが、本発明と同じ問題意識を持って作        られた発明の多くは各々の装置を取り外す際のことについては触れられていな          い。たとえば、実開平６−１１７１９号に関しては、絆創膏をはがすような取り        外し方をしようとした場合、実際には体表面と接着している部位を指先が捉える        ことは難しいため、取り外しにくく、不便である。また、後述のはさみを使うや        り方を応用した場合でも、不織布によって患部の様子が認識しづらいため間接的        に留置針やその周囲のカテーテル等にはさみが接触した場合などに危険である。        本発明ではこれらの問題点も解決している点で進歩性がある。
【００１４】
本発明は、シート上に設けられた接着部の一部に非接着部を設けられることか        ら、留置針を保護する固定テープとネットをそのままの状態で保護できることに        加え、シート全体を体表面に巻きつけ、密着させることにより、高い利便性と防        水効果をもたらしている。これらの両点を満たす発明は他にないため、新規性が        あるといえる。
【００１５】
本発明が特許されるべき理由は、新規性があり、進歩性があるからである。進        歩性が証明されるのは以下のとおりである。進歩性否定の判断基準として、「特        許出願前にその発明の属する通常の知識を有する者が、前号各号に掲げる発明に        基づいて容易に発明をすることができたとき（特許法２９条２項、実用新案法３        条２項）」とあるが、本発明の防水性のシートの縁を囲むように接着部をもう          け、さらに、その一部に非接着部を設けることによって、留置針を固定する医療        用ネットを含んだ腕を保護することは、当業者にとって容易に発想しうるもので        はないからである。なぜなら、前述のとおり、留置針を固定する医療用ネットを        含んだ腕を保護するために、以前から世界中で幾多の発明・公開がなされている        が、どの発明も当発明のような構造をもつ発想には至っていないからである。た        とえば、前述の特開２００５−３４２４３２号に関しては公報の公開から５年、        実願平４−５５８１６号に関しては１８年、米国特許５８２３９７７号に関して        は出願から１３年が経過している。他にも、多くの発明がなされているが、特許        権取得の成否にかかわらず、公開されている発明の中でも当発明と同様の構造を        もつ発明はない。これらの点からも、本発明が容易に発想しうるものではないこ        とは明らかであり、進歩性があるといえる。
【００１６】
また、本発明において、当業者と言うに最もふさわしい業種は看護師であると        いよう。世界中で多くの看護師が現在に至るまで、先述のような煩雑な処置を施        しているが、事実そのような中で本発明と同様の構造をもつ発明品はいまだなさ        れていない。このことからも、本発明の想到が困難であり、新規性および進歩性        があることは証明される。
【図面の簡単な説明】
【００１７】
【図１】本発明が体表面と接する面（表面）で見た全体像を図示したものである。
【図２】本発明を表面とは逆の面（裏面）で見た像を図示したものである。
【図３】本発明を図１中のＡ−Ａから見た像を図示したものである。
【図４】本発明を図１中のＡ−Ａとは逆の方向から見た像を図示したものである。
【図５】本発明をＢ−Ｂから見た像を図示したものである。
【図６】本発明をＢ−Ｂとは逆の方向から見た像を図示したものである。
【図７】本発明を用いて要防水部を保護する、はじめの様子を図示したものである。
【図８】本発明が要防水部を保護した様子を図示したものである。
【図９】本発明を取り外す際の様子を図示したものである。
【図１０】本発明をはさみを用いて取り外す際の様子を図示したものである。
【図１１】本発明を重ね合わせた積層体を図示するものである。
【図１２】ロール状の本発明の積層体（防水ロール）を表面から見た図である。
【図１３】防水ロールを裏面から見た図である。
【図１４】防水ロールを図１２中のＡ−Ａから見た図である。
【図１５】防水ロールを図１２中のＡ−Ａとは逆の方向から見た図である。
【図１６】防水ロールを図１２中のＢ−Ｂから見た図である。
【図１７】防水ロールを図１２中のＢ−Ｂとは逆の方向から見た図である。
【図１８】防水ロールを用いて要防水部を保護するはじめの様子を図示したものである。
【図１９】台形の防水シートを前面から見た図である。
【図２０】台形の防水シートを後面から見た図である。
【図２１】台形の防水シートを上から見た図である。
【図２２】台形の防水シートを下から見た図である。
【図２３】台形の防水シートを左から見た図である。
【図２４】台形の防水シートを右から見た図である。
【図２５】扇形の防水シートを前面から見た図である。
【図２６】扇形の防水シートを後面から見た図である。
【図２７】扇形の防水シートを上から見た図である。
【図２８】扇形の防水シートを下から見た図である。
【図２９】扇形の防水シートを左から見た図である。
【図３０】扇形の防水シートを右から見た図である。
【図３１】多角形の防水シートを前面から見た図である。
【図３２】多角形の防水シートを後面から見た図である。
【図３３】多角形の防水シートを上から見た図である。
【図３４】多角形の防水シートを下から見た図である。
【図３５】多角形の防水シートを左から見た図である。
【図３６】多角形の防水シートを右から見た図である。
【図３７】楕円形の防水シートを前面から見た図である。
【図３８】楕円形の防水シートを後面から見た図である。
【図３９】楕円形の防水シートを上から見た図である。
【図４０】楕円形の防水シートを下から見た図である。
【図４１】楕円形の防水シートを左から見た図である。
【図４２】楕円形の防水シートを右から見た図である。
【図４３】台形の防水ブロックを前面から見た図である。
【図４４】台形の防水ブロックを後面から見た図である。
【図４５】台形の防水ブロックを上から見た図である。
【図４６】台形の防水ブロックを下から見た図である。
【図４７】台形の防水ブロックを左から見た図である。
【図４８】台形の防水ブロックを右から見た図である。
【発明を実施するための形態】
【００１８】
以下、本発明を詳細に説明する。 図１は本発明の一実施例による防水シート        の平面図、図２は同防水シートの裏面図、図３は図１のＡ―Ａから見た側面図、        図４は図１のＡ−Ａの反対側から見た側面図、図５は図１のＢ−Ｂから見た側面        図、図６は図１のＢ−Ｂの反対側から見た側面図である。
図１に示す平面図が同防水シートの体表面と接する面となる。防水シートは、          腕、脚、胴体、又は首に巻きつけて使用する。シート１は要防水部を覆い、体表        面に巻きつける部材であり、防水性を有する柔軟で透明なシート材で形成されて        いる。シート１の体表面と接する面（表面）の縁には、接着部２０と非接着部          ３０とを備え、接着部２０は、第１の接着部２１と、第２の接着部２２と、第３        の接着部２３とから構成されている。第１の接着部２１は、要防水部の一方側に        位置する体表面に接着する接着部２０である。第２の接着部２２は、要防水部の        他方側に位置する体表面に接着する接着部２０である。第３の接着部２３は、第        １の接着部２１の一端２１ａおよび第２の接着部２２の一端２２ａと連続した接        着部２０であり、シート１に接着する。非接着部３０は、第１の接着部２１の他        端２１ｂおよび第２の接着部２２の他端２２ｂとの間に設けられている。また、        接着部２０の一部であって、シート１の角部には非接着部３１を形成している。        非接着部３１は、本実施例では第３の接着部２３の端部に形成している。
本実施例では、接着部２０をシート１の表面だけに設け、裏面（図２）には設け        ない場合を示しているが、裏面にも同様に接着部２０を設けてもよい。
第１の接着部２１および第２の接着部２２はシート１と体表面とを固定する働き        を果たすために、柔軟な形状を取りうる。接着部２０において非接着部３１を          シート１の外周端に設けることにより、取り外す際のシート１をつかむ手掛かり        を作ることができる。さらに、この接着部２０に接着変色剤または/かつ経皮吸        収型即効性鎮痛剤を含ませることにより、接着部２０の密着を視認することや          シート１を体表面から取り外す際の痛みを軽減させることができる。
【実施例】
【００１９】
本発明を以下の実施例によってさらに詳細に説明するが、本発明に何ら限定          されることはない
【００２０】
実施例として本発明の代表的な使用方法である留置針５のある腕４、特に医療        用ネット６の施された留置針５のある腕４を入浴の際に保護する場合を例示す          る。この場合、留置針５を包む医療用ネット６およびその周辺部が要防水部とな        る。使用するシート１はＡ４サイズに近い縦横２０ｃｍ×３０ｃｍの四角形であ        り、この大きさは、例示する腕４を十分に周回できる大きさであるとする。さら        に、このシート一面の縁に５００円硬貨とほぼ同じ幅約２．５ｃｍの接着部２０        を３辺の縁に沿って横長の「コ」の字型に設ける。また、この幅は体表面とシー        ト１上の第１の接着部２１、及び第２の接着部２２が密着し、第３の接着部２３        がシート１裏面と密着することで十分に外部からの水の侵入を防ぐことのできる        幅であり、かつ、接着部２０は体表面、及びシートと密着するに十分な粘着力を        もつものとする。
【００２１】
この防水シートの接着面を上にし、清潔な台７の上に防水シートをおく。この        様子を図７に示す。次に、第１の接着部２１、および第２の接着部２２を含む          シート１上の平行な２辺とほぼ垂直になるように腕４の方向を整え、非接着部          ３０の部分に要防水部を含む腕４をおく。それから、非接着部３０を腕４に巻き        つけ接着部２１、及び接着部２２で体表面とシートを密着させ、固定する。その        後、接着部２３をシートの裏面に巻きつけ、密着、固定させることで防水性を完        成させる。
【００２２】
このようにして装着された様子を示しているのが図８である。図８において体        表面と防水性を持つ本シート１は接着部２１、及び接着部２２において密閉され        ているため、体表面から水が入ることはない。また、シート１とシート１の間は        接着部２３において密閉されているためシート１間からも水が入ることはない。        このようにして要防水部は水から保護され、快適に入浴をすることができる。
【００２３】
使用後、本防水シートを取り外す様子を図示したものが図９である。使用後          は、非接着部３１を手掛かりに、簡単に本防水シートをはがすことができる
【００２４】
また、非接着部３１を用いない方法として、使用後には接着部２０のない非接        着部３０にはさみ８を入れることでも簡単に本防水シートを取り外すことが可能        である。この様子は図１０に示してある。
【００２５】
本説明では、留置針３を含む要防水部を保護することを代表例として説明を進        めてきたが、本発明の形状も方形に限定されるものではなく、台形、扇形、多角        形、円形等、患部に貼り付けやすい形状とすることができ、大きさに関しても、        患部の必要に応じて任意に変えることができる。台形や形の防水シートに関して        は、腕などに要防水部がある場合、この防水シートを巻き付けた後の形が整い、        見た目がよい。また、多円形、角形の防水シートを用いた場合、広範囲の要防水        部を保護できる場合があり便利である。これら、防水シートのバリエーションに        関しては台形の物に関しては図１９図２４まで、扇形のものに関しては図２５か        ら図３０まで、多角形のものに関しては図３１から図３６まで、円形のものに関        しては図３７から図４２までに前後上下左右方向から見たものをこの順に図示し        ている。
【００２６】
また、本発明において、接着部２０にさまざまな工夫をすることでその利便性        を上げることができる。たとえば、接着部２０に接着変色剤、つまり、接着剤が        対象に密着する前と後での色が変わるような素材を混ぜることにより、シート１        の体表面への付き具合を確認することができる。具体的には、接着変色剤として        用いられるものはリトマス液や紫キャベツ液などのＰＨによってその色を変える        素材を用いるとよい。人の体表面は極端な場合を除き、基本的に弱酸性が保たれ        ており、この弱酸性の体表面に接着変色剤が接することによって接着剤ＰＨが変        わり、接着剤の色が変わることで、その密着を確認することができる。
【００２７】
さらに、接着変色剤について例をあげる。この接着剤はピエゾクロミズムとト        リボクロミズム、つまり「圧力」により色が変わる性質を持つ素材を接着剤に含        めることでも作成される。圧力により分子レベルの構造が変わることから、これ        らの素材は色を変えるので、実際の使用現場では、これらの接着変色剤は接着す        る際の圧力を感じ、色を変えることでその密着を確認することができる。他にも        温度によって色を変える物質などを接着部に用いた場合でも同様である。このよ        うにシート１の体表面への接着を確認しやすくすることで本発明は要防水部への        水の浸入をより防ぐようになる。
【００２８】
他にも、接着部に経皮吸収型の即効性鎮痛剤を用いることで密着している防水        シートを体表面から取り外す際に生じる痛みを軽減することができる。例えば、        これらの経皮吸収型の鎮痛剤に関しては、経皮吸収性のある即効性の麻酔を接着        剤に混ぜることでも作成することができる。
【００２９】
防水シートについて、さらに実施例を挙げる。これは、本発明を重ね合わせた        積層体９０に関するものである。本発明は積層体９０とすることで、連続的に使        用する現場において、さらに利便性を増す。たとえば、本発明をロール状に重ね        た積層体９１（防水ロール）に関して例示する。防水ロール９１に関しては前後        上下左右から見たものを図１２から図１７までにこの順で図示している。防水          ロール９１は、一辺に非接着部３０を含む辺を始めとした複数枚の防水シートが        帯状に連続して作成されている。それぞれの接着部２３の外周辺にはミシン目を        付けるなどの手段で構成された切り取り線９１ａが作成されており、非接着部          ３０から始まった一枚の防水シートは切り取り線９１ａにて防水ロール９１から        切り離されるようになっている。このような防水ロール９１を図１８中手順１の        ように腕４に巻き付けることで、体表面に防水性を持つシート１を貼り付けるこ        とができる。医療用ネット６を含む腕４を保護したシート１は、最終的に図１８        中手順２のように作業をすることで接着部２３がシート１裏面に密着し、防水性        を完成させることができる。貼り付けられた防水シートは、切り取り線９１ａを        用いることで防水ロール９１から簡単に取り外すことができる。これら一連の作        業が終わった後の様子は図８と同様である。
【００３０】
この防水ロール９１において、一枚の防水シートを腕４に取り付けた後も、こ        の防水ロール９１は使用前と同様に用いることができる。このようなメリットは        ポストイット状に防水シートを積み重ねた本発明の積層体９２（防水ブロック）        においても同様である。防水ブロック９２に関しては、積層体９０のもととなる        防水シートの形状が複雑で、ロール状の積層体９１を形成しづらい場合の防水          シートの積層体９０として適している。この防水ブロックを前後左右上下から見        たものを図４３から図４８までにこのままの順で図示する。
【００３１】
このように、積層体９０にした本発明は個別に包装する必要もなく、さらに、        一枚のシートではなく、一つの固形物として用いることができるので、扱いやす        く、連続使用に適しているといえる。また、防水シートに非接着部が設けられて        いる場合、そこを手掛かりとして新しい防水シートを積層体９０から引き剥がす        ことができるため簡便である。さらに、使用するたびに新しいシートが現れるた        め、衛生面に関しても優れている。
【００３２】
本シートの積層体９０に関しても、重ね方はロール状、ブロック状のものに限        定されず、その必要性によって任意に重ね方を変えることができる。
【産業上の利用可能性】
【００３３】
産業上の利用可能性として挙げるべきことは、主に２点ある。それは、本発明        が非常に大きな市場を対象としていること、看護師・病院の負担の軽減ができる        ことである。
【００３４】
１点目、本発明が対象としている市場は、主に入院中の患者で、特に、入浴を        必要としている患者にかかわるものである。厚生労働省のＨＰ(http:// www.           mhlw.g.jp/toukei/saikin/hw/iryosd/05/toukei14.html)によると、平成17年度        日本国内での１日平均在院患者数は約１４，０００，０００名である 。さら          に、その中の約半数が１日１回の入浴を必要としていると仮定すると、１年当た        り約２５０，０００，０００回の入浴が必要とされている計算になる。仮に、そ        の１割が本発明を採用した場合、必要となる本発明の数は年間２５，０００，          ０００個となる。これは、産業上十分に大きな市場があると考えられるだろう。
【００３５】
２点目、本発明が主に行おうとしていることは、看護師の職務である、入浴時        の留置針の保護作業の簡素化である。現在、看護師は患者に呼ばれることで進行        中の作業を中断し、時間を裂いて、前述のような方法と道具を用いて患者の留置        針の保護を行っている。しかし、この一連の作業は高い生産性に結びつかない。        これらの作業は本発明を用いることで、患者自身が簡単に入浴時の留置針の保護        を行うことができるようになる。そうすることで、看護師は、本来の生産活動に        より専念することができるようになる。これを日本全国で行う場合、日本全体の        看護師の作業量の軽減、生産性の向上、かねては病院の人件費の軽減を考えると        莫大なものになる。さらに、現在余分に使用している医療用ラップやテープ、ビ        ニル袋などの費用も平準的に無駄なく生産された本発明を代替品することで削減        することができる。
【符号の説明】
【００３６】
１  防水性覆い部材
２０  接着部
２１  第１の接着部
２１ａ  第１の接着部の一端
２１ｂ  第１の接着部の他端
２２  第２の接着部
２２ａ  第２の接着部の一端
２２ｂ  第２の接着部の他端
２３  第３の接着部
３０  非接着部
３１  接着部２０の端部にある非接着部
４  腕
５  留置針
６  留置針を保護する医療用ネット
７  台
８  はさみ
９０  防水シートの積層体
９１  防水ロール
９１ａ  切り取り線
９２  防水ブロック  
手順１  防水ロールにおいて非接着部を巻き付ける作業
手順２  防水ロールにおいて接着部を巻き付ける貼り付ける作業
【図１】
2012050591.tif 000003
【図２】
2012050591.tif 000004
【図３】
2012050591.tif 000005
【図４】
2012050591.tif 000006
【図５】
2012050591.tif 000007
【図６】
2012050591.tif 000008
【図７】
2012050591.tif 000009
【図８】
2012050591.tif 000010
【図９】
2012050591.tif 000011
【図１０】
2012050591.tif 000012
【図１１】
2012050591.tif 000013
【図１２】
2012050591.tif 000014
【図１３】
2012050591.tif 000015
【図１４】
2012050591.tif 000016
【図１５】
2012050591.tif 000017
【図１６】
2012050591.tif 000018
【図１７】
2012050591.tif 000019
【図１８】
2012050591.tif 000020
【図１９】
2012050591.tif 000021
【図２０】
2012050591.tif 000022
【図２１】
2012050591.tif 000023
【図２２】
2012050591.tif 000024
【図２３】
2012050591.tif 000025
【図２４】
2012050591.tif 000026
【図２５】
2012050591.tif 000027
【図２６】
2012050591.tif 000028
【図２７】
2012050591.tif 000029
【図２８】
2012050591.tif 000030
【図２９】
2012050591.tif 000031
【図３０】
2012050591.tif 000032
【図３１】
2012050591.tif 000033
【図３２】
2012050591.tif 000034
【図３３】
2012050591.tif 000035
【図３４】
2012050591.tif 000036
【図３５】
2012050591.tif 000037
【図３６】
2012050591.tif 000038
【図３７】
2012050591.tif 000039
【図３８】
2012050591.tif 000040
【図３９】
2012050591.tif 000041
【図４０】
2012050591.tif 000042
【図４１】
2012050591.tif 000043
【図４２】
2012050591.tif 000044
【図４３】
2012050591.tif 000045
【図４４】
2012050591.tif 000046
【図４５】
2012050591.tif 000047
【図４６】
2012050591.tif 000048
【図４７】
2012050591.tif 000049
【図４８】
2012050591.tif 000050